(57)【特許請求の範囲】
【請求項１】
映像データを出力する映像出力装置と電力伝送が可能な通信手段を介して接続され、当該通信手段を用いて前記映像出力装置から入力された映像データを表示する映像表示装置であって、
前記映像出力装置は、前記映像表示装置に対する映像データの出力に伴って電力を前記映像表示装置に供給するとともに、映像データの出力の停止に対応して電力の供給も停止する構成を有し、
前記映像表示装置は、
前記映像出力装置から出力される電力の供給状態を検知する検知手段と、
前記映像出力装置の動作モードを示す情報を取得する取得手段と、
前記映像出力装置から電力が供給されたことに応じて、前記映像出力装置と前記通信手段を介して電気的に接続するための制御信号をオンレベルとして前記映像出力装置と電気的に接続し、前記映像出力装置からの電力供給が停止された場合には、前記制御信号をオフレベルとすることで前記映像出力装置との電気的な接続を切断する制御を行う制御手段と、を有し、
前記制御手段は、前記制御信号をオンレベルとしている状態において電力の供給が停止されたことを前記検知手段が検知した場合、前記取得手段で取得した前記映像出力装置の動作モードが、映像データの出力を一時的に停止した後に映像データの出力を再開する動作モードである場合には、前記制御信号をオフレベルに変更しないように制御することを特徴とする映像表示装置。
【請求項２】
前記取得手段は、前記映像出力装置からの電力の供給の停止が前記検知手段によって検知されたことに従い、前記映像出力装置に対して前記動作モードを示す情報を要求するコマンドを送信し、当該コマンドに応じて前記映像出力装置から送信された前記動作モードを示す情報を取得することを特徴とする請求項１に記載の映像表示装置。
【請求項３】
前記制御手段は、前記取得手段で取得した前記映像出力装置の動作モードが、映像データの出力を一時的に停止した後に映像データの出力を再開する動作モードである場合には、前記映像出力装置からの映像データの入力の停止に伴って実行される、映像データの非表示状態を回避する回避機能を実行しないように制御することを特徴とする請求項１または２に記載の映像表示装置。
【請求項４】
映像データを出力する映像出力装置と電力伝送が可能な通信手段を介して接続され、当該通信手段を用いて前記映像出力装置から入力された映像データを表示する映像表示装置の制御方法であって、
前記映像出力装置は、前記映像表示装置に対する映像データの出力に伴って電力を前記映像表示装置に供給するとともに、映像データの出力の停止に対応して電力の供給も停止する構成を有し、
前記映像表示装置の制御方法は、
前記映像出力装置から出力される電力の供給状態を検知する検知ステップと、
前記映像出力装置の動作モードを示す情報を取得する取得ステップと、
前記映像出力装置から電力が供給されたことに応じて、前記映像出力装置と前記通信手段を介して電気的に接続するための制御信号をオンレベルとして前記映像出力装置と電気的に接続し、前記映像出力装置からの電力供給が停止された場合には、前記制御信号をオフレベルとすることで前記映像出力装置との電気的な接続を切断する制御を行う制御ステップと、を有し、
前記制御ステップでは、前記制御信号をオンレベルとしている状態において電力の供給が停止されたことを前記検知ステップで検知された場合、前記取得ステップで取得した前記映像出力装置の動作モードが、映像データの出力を一時的に停止した後に映像データの出力を再開する動作モードである場合には、前記制御信号をオフレベルに変更しないように制御することを特徴とする映像表示装置の制御方法。
【請求項５】
前記取得ステップでは、前記映像出力装置からの電力の供給の停止が前記検知ステップで検知されたことに従い、前記映像出力装置に対して前記動作モードを示す情報を要求するコマンドを送信し、当該コマンドに応じて前記映像出力装置から送信された前記動作モードを示す情報を取得することを特徴とする請求項４に記載の映像表示装置の制御方法。
【請求項６】
前記制御ステップでは、前記取得ステップで取得した前記映像出力装置の動作モードが、映像データの出力を一時的に停止した後に映像データの出力を再開する動作モードである場合には、前記映像出力装置からの映像データの入力の停止に伴って実行される、映像データの非表示状態を回避する回避機能を実行しないように制御することを特徴とする請求項４または５に記載の映像表示装置の制御方法。
【請求項７】
入力された映像データを表示する映像表示装置と電力伝送が可能な通信手段を介して接続され、当該通信手段を用いて前記映像表示装置に対して映像データを出力する映像出力装置であって、
前記映像表示装置は、前記映像出力装置から電力の供給が行われたことに応じて、前記通信手段を介して前記映像出力装置と電気的に接続する構成を有し、
前記映像出力装置は、
前記映像表示装置に対して映像データを出力する場合には、電力を前記映像表示装置に供給する制御を行う制御手段と、
前記映像出力装置における動作モードを監視する監視手段と、を有し、
前記制御手段は、前記映像出力装置における動作モードが、映像データの出力を一時的に停止した後に映像データの出力を再開する動作モードであると前記監視手段によって判定された場合には、当該動作モードで前記映像出力装置が動作している間は前記映像表示装置に対する映像データの出力が停止された場合も電力を常時供給するように制御することを特徴とする映像出力装置。
【請求項８】
映像データの出力を一時的に停止した後に映像データの出力を再開する動作モードの場合、映像データの出力が一時的に停止されている期間中に当該映像データの代替用映像データを前記映像表示装置に対して出力する映像出力手段を有することを特徴とする請求項７に記載の映像出力装置。
【請求項９】
前記映像出力装置はレンズを透過した入射光をファインダに導くか、撮像素子に導くかを択一的に切り換えるミラーを有するデジタルカメラであり、前記動作モードは、静止画の撮影前に、前記レンズからの入射光を前記撮像素子で撮像して得られた映像データを表示器に表示するライブビュー撮影モードであることを特徴とする請求項７または８に記載の映像出力装置。
【請求項１０】
入力された映像データを表示する映像表示装置と電力伝送が可能な通信手段を介して接続され、当該通信手段を用いて前記映像表示装置に対して映像データを出力する映像出力装置の制御方法であって、
前記映像表示装置は、前記映像出力装置から電力の供給が行われたことに応じて、前記通信手段を介して前記映像出力装置と電気的に接続する構成を有し、
前記映像出力装置の制御方法は、
前記映像表示装置に対して映像データを出力する場合には、電力を前記映像表示装置に供給する制御を行う制御ステップと、
前記映像出力装置における動作モードを監視する監視ステップと、を有し、
前記制御ステップでは、前記映像出力装置における動作モードが、映像データの出力を一時的に停止した後に映像データの出力を再開する動作モードであると前記監視ステップで判定された場合には、当該動作モードで前記映像出力装置が動作している間は前記映像表示装置に対する映像データの出力が停止された場合も電力を常時供給するように制御することを特徴とする映像出力装置の制御方法。
【請求項１１】
映像データの出力を一時的に停止した後に映像データの出力を再開する動作モードの場合、映像データの出力が一時的に停止されている期間中に当該映像データの代替用映像データを前記映像表示装置に対して出力する映像出力ステップを有することを特徴とする請求項１０に記載の映像出力装置の制御方法。
【請求項１２】
前記映像出力装置はレンズを透過した入射光をファインダに導くか、撮像素子に導くかを択一的に切り換えるミラーを有するデジタルカメラであり、前記動作モードは、静止画の撮影前に、前記レンズからの入射光を前記撮像素子で撮像して得られた映像データを表示器に表示するライブビュー撮影モードであることを特徴とする請求項１０または１１に記載の映像出力装置の制御方法。
【発明の詳細な説明】
【技術分野】
【０００１】
本発明は、映像出力装置から出力される映像データを受信して処理し、表示部に表示させる機能を有する映像表示装置及びその制御方法、ならびに映像表示装置に対して映像データを出力することが可能な映像出力装置及びその制御方法に関する。
【背景技術】
【０００２】
昨今、デジタルカメラなどの映像出力装置とモニタなどの映像表示装置とを接続する場合には、映像データ伝送のためのインタフェースであるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）が用いられることが一般的である。【０００３】
ＨＤＭＩでは、主にＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）チャンネルと、ＣＥＣ（Ｃｏｎｓｕｍｅｒ  Ｅｌｅｃｔｒｏｎｉｃｓ  Ｃｏｎｔｒｏｌ）チャンネルと、ＤＤＣ（Ｄｉｓｐｌａｙ  Ｄａｔａ  Ｃｈａｎｎｅｌ）とを用いて接続機器間での情報伝送を行う。【０００４】
ＴＭＤＳチャンネルは、映像データ及び音声データ並びに補助データの伝送を行う信号線である。また、ＣＥＣチャンネルは、機器制御信号を伝送する信号線である。ＣＥＣコマンドを使用した通信（以下、ＣＥＣ通信と称する）を用いることによって、映像表示装置と撮像装置の間で相互に機器情報を取得したり、互いに相手を制御したりすることが可能である。【０００５】
ＤＤＣは、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）の伝送を行う信号線である（以下、ＤＤＣを利用した通信をＤＤＣ通信と称する）。【０００６】
ＥＤＩＤには、映像表示装置で表示可能な解像度情報などの表示性能情報や音声出力性能の他、接続された機器の物理的な接続位置を認識する為のフィジカルアドレス情報が格納されている。その他、ＨＤＭＩは後述するＨＰＤ（Ｈｏｔ  Ｐｌｕｇ  Ｄｅｔｅｃｔ）信号の伝送に利用されるＨＰＤラインと、映像データの出力側が映像データの受信側に対して５Ｖの電力（以後、５ＶＰｏｗｅｒと称する）を供給する５ＶＰｏｗｅｒラインも備えている。【０００７】
映像出力装置とＨＤＭＩで接続された映像表示装置は、映像出力装置から５ＶＰｏｗｅｒの入力があると、映像データの入力要求、かつ、ＤＤＣ通信のアクセス要求が発生したと判断し、ＨＰＤ（Ｈｏｔ  Ｐｌｕｇ  Ｄｅｔｅｃｔ）信号をオフレベルからオンレベルに切り換える。映像出力装置は、ＨＰＤ信号がオンレベルになったことをＨＰＤラインを介して検知し、ＤＤＣ通信を新たに開始する。反対に、映像出力装置と映像表示装置が電気的に接続されている状態で５ＶＰｏｗｅｒの供給が停止されると、ＨＰＤ信号をオンレベルからオフレベルに切り換え、電気的な接続を切断する。【０００８】
映像出力装置は、ＤＤＣ通信において、映像表示装置からＥＤＩＤを取得する処理を最初に実行する。この処理の実行によって映像表示装置のＥＤＩＤが取得できた場合、映像出力装置は映像データを映像表示装置に対して出力する。【０００９】
特許文献１には、ＨＤＭＩのＤＤＣ通信に関する技術が記載されている。この技術では、送信機器側から伝送された映像データが受信機器側で設定したフォーマットと異なる場合、受信機器は一度ＨＰＤ信号をオフレベルとし、その後オンレベルとすることにより、ＨＤＭＩ接続を一旦初期化し、新たにＤＤＣ通信を実行している。つまり、この技術は、ＨＰＤ信号をオフレベルにすることで強制的に電気的な接続を切断し、再度オンレベルにすることによって、送信機器に再びＥＤＩＤを取得させて、電気的な接続を確立するためのものである。【００１０】
続いて、本願発明が解決する課題が生じている好例として、ライブビュー機能搭載のデジタルカメラと、該デジタルカメラとＨＤＭＩで接続された映像表示装置とから構成された映像処理システムを説明する。【００１１】
昨今の一眼レフタイプのデジタルカメラには、ライブビュー機能と称される機能が搭載されている。ライブビュー機能とは、レンズを透過した入射光を撮像素子で撮像し、プレビュー用の映像データに変換してデジタルカメラの液晶画面等の表示器にリアルタイムに表示する機能である。ライブビュー機能を搭載したデジタルカメラでは、撮影者はファインダではなく、表示器に表示されるライブビュー画像を確認しながらフォーカス調整や撮影を行うことが可能となる。従って、ライブビュー機能の利用は、ファインダを覗けないようなアングルの撮影などでも、静止画の撮影前にフォーカスや構図を確認することを可能とする。【００１２】
また、ライブビュー機能を搭載したデジタル一眼レフカメラがＨＤＭＩ接続に対応することで、デジタルカメラをモニタなどの映像表示装置と接続し、ライブビュー映像をモニタの画面に表示して撮影することも可能となった。この撮影方法を用いると、デジタルカメラの小さい液晶画面ではなく、大きなモニタでピントや構図を確認しながら撮影することが可能となり大変便利である。【００１３】
しかし、ライブビュー映像を利用して撮影するライブビュー撮影モードでは、デジタルカメラは一時的に映像出力を停止することがあり、映像出力の停止に伴って、ＨＤＭＩの５ＶＰｏｗｅｒの供給が停止される場合がある。ここで、ライブビュー撮影モードにおいて一時的に映像出力が停止される理由を説明するために、デジタルカメラの構成について簡単に説明する。【００１４】
図９は一眼レフタイプのデジタルカメラの概略構成を示した構成図である。映像出力装置としてのデジタル一眼レフカメラ１０００は、撮像素子１００１の前段に、ミラー駆動部１００７により撮影光路に対して進退可能な可動ミラー（レフ板）１００２を有している。この可動ミラー１００２は通常時には撮影光路内に進入した位置にあり、撮像レンズ１００３を透過した入射光をファインダ１００４へ導いている。その後、撮影する直前には撮影光路から退避する構成になっている。可動ミラー１００２が撮影光路に進入した位置にあるか否かで、入射光をファインダ１００４に導くか、撮像素子１００１に導くかを択一的に切り換えている。さらに、可動ミラー１００２の中央付近はハーフミラーで構成されており、この可動ミラーの背面には、ハーフミラーで透過した被写体光を焦点制御センサ１００５へ導くためのサブミラー１００６が設けられた構成となっている。サブミラー１００６は、可動ミラー１００２が撮影光路から退避する場合には連動して退避し、可動ミラー１００２が撮影光路に進入している場合は上記の如く被写体光を焦点制御センサ１００５へ導くために可動ミラー１００２に対して開いた位置にある。【００１５】
一方、デジタル一眼レフカメラ１０００のＣＰＵ１０１１は、ライブビュー撮影モードでは、通常時には可動ミラー１００２を退避状態にして撮像素子１００１で捉えた被写体光を映像データ出力部１００８で映像データに変換する。変換した映像データをカメラの外部に出力しない場合には、デジタル一眼レフカメラ１０００に設けられた表示器（不図示）に、映像データから生成した映像を表示する。【００１６】
また、ＨＤＭＩで接続された映像表示装置に映像データを出力する場合には、ＣＰＵ１０１１は、ＨＤＭＩトランスミッタ１００９を介し、映像データをＴＭＤＳデータ信号としてＨＤＭＩ端子１０１０から出力するように制御する。【００１７】
ここで、映像表示装置に映像データを出力している状態、つまり、可動ミラー１００２を撮影光路から退避させている状態において、ユーザがシャッターボタン（不図示）を押下すると、ＣＰＵ１０１１は、可動ミラー１００２を退避状態から一旦撮影光路内に進入させて焦点制御した後、再度退避状態となるように制御する。その結果、撮像素子１００１に入力される被写体光が一時的に途切れることになり、映像データ出力部１００８への映像データの入力も一時的に途切れる。それに伴い、ＨＤＭＩトランスミッタ１００９は、映像データ出力部１００８から映像データが入力されないため、映像表示装置に対する５ＶＰｏｗｅｒの供給を停止する制御を実行することがある。これにより、映像表示装置はＨＤＭＩ接続が停止（切断）されたと認識し、ＨＰＤ信号をオンレベルからオフレベルに変更する。その結果、映像表示装置とデジタル一眼レフカメラ１０００との電気的な接続が切断されることになる。【００１８】
その後、可動ミラー１００２が再び退避状態になると、撮像素子１００１への被写体光の入力と、映像データ出力部１００８への電気信号の入力が再開される。これに伴い、映像データ出力部１００８は再びＨＤＭＩトランスミッタ１００９に対して映像データを出力する。映像データの入力を受けたＨＤＭＩトランスミッタ１００９は、映像データの入力をトリガとして５ＶＰｏｗｅｒの出力を再びオンレベルへと変更し、５ＶＰｏｗｅｒ線を用いて映像表示装置に５ＶＰｏｗｅｒを供給する。【００１９】
映像表示装置は、５ＶＰｏｗｅｒの入力があったことを検知すると、映像データの入力要求と、ＤＤＣ通信のアクセス要求があったと判定し、ＨＰＤ信号をオフレベルからオンレベルに変更する制御を開始する。【００２０】
このように、映像データからＨＤＭＩトランスミッタに映像データが入力されないと５ＶＰｏｗｅｒの供給を停止するのは、デジタルカメラのようなバッテリーで駆動するタイプの装置に多い。これは、映像データが外部装置に出力されていないのに、外部装置に電力供給することで電力消費量が増加してしまい、装置の駆動時間が短縮されることを回避するためであることが考えられる。
【先行技術文献】
【特許文献】
【００２１】
【特許文献１】特開２００７−７８９８０号公報
【発明の概要】
【発明が解決しようとする課題】
【００２２】
上述したとおり、映像出力装置側は、映像データを出力するトランスミッタに映像データが新しく入力された時点で５ＶＰｏｗｅｒを映像表示装置に供給し、反対に、映像データがトランスミッタに入力されなければ５ＶＰｏｗｅｒの供給を停止する。映像表示装置側は、５ＶＰｏｗｅｒ入力の有無とＨＰＤ信号の状態遷移とが対応付けられているため、映像出力装置側で映像データがトランスミッタに入力されなければ、映像表示装置は映像出力装置との電気的な接続を自動的に切断することになる。これは、映像出力装置側の電源オフや、映像出力装置がライブビュー撮影モードから、通常の撮影モードに移行した場合には意味のある動作である。しかし、ライブビュー撮影モードでの撮影時のように、ＨＤＭＩトランスミッタ１００９に対する映像データの入力が一時的に停止し、その後即座に映像データが再入力されるような場合は、電気的な接続を切断すべきではない。【００２３】
接続を切断すべきでない理由は、ＨＤＭＩの再接続に時間を要するためである。ＨＤＭＩの接続時には、映像表示装置は５ＶＰｏｗｅｒが入力されたことに従って、ＨＰＤ信号をオンレベルとする。その状態を認識した映像出力装置側はＤＤＣ通信を用いてＥＤＩＤの取得要求を発行し、映像表示装置が送信するＥＤＩＤを受信する処理を実行する。この一連の処理には多くの時間を要する。結果として、撮影実行から映像表示装置がＥＤＩＤを取得して映像出力を再開するまでの間、映像表示装置側では長時間にわたって映像が表示されない。【００２４】
例えば、キヤノン製デジタル一眼レフカメラ（日本発売製品名：ＥＯＳ７Ｄ）と東芝製液晶テレビ（日本発売製品名：ＲＥＧＺＡ  Ｚ３５００）をＨＤＭＩケーブルで接続し、カメラをライブビュー撮影モードに設定する。このモードにすることで、上述したＨＤＭＩの電気的な接続処理が行われ、最終的にテレビの表示画面にはライブビュー映像が表示される。この状態でカメラのシャッターボタンを押下するとテレビの画面表示が消え、再び、カメラが出力するライブビュー映像が表示されるまでに約１０秒かかることが出願人の調査により判明している。なお、同様の問題は、同キヤノン製デジタル一眼レフカメラとソニー製液晶テレビ（日本発売製品名：ＫＤＬ−４０Ｆ１）とをＨＤＭＩ接続した場合にも発生することを出願人は確認している。【００２５】
ライブビュー撮影モードでの撮影後、ライブビュー映像が映像出力装置で再度表示されるまでに約１０秒も要するのは、言うまでもなく、ＨＤＭＩ接続の電気的な切断処理と接続処理が生じるためである。ライブビュー映像の非表示期間が約１０秒も生じるようでは、ライブビュー撮影の効率が大きく低下してしまい、ユーザの利便性を損なう結果となる。【００２６】
この課題に対して、特許文献１は、ＨＤＭＩトランスミッタへの映像データの停止と再入力に伴う５ＶＰｏｗｅｒの供給状態の変化と、それに対応して生じるＨＤＭＩ接続の切断処理及び接続処理については一切考慮していない。その結果、特許文献１に開示された技術では上述した課題を解決できない。【００２７】
もちろん、上記課題はＨＤＭＩに限ったものでない。ＨＤＭＩと同様、映像出力装置からの電力供給が途切れた場合に、電気的な接続を切断する通信手段であれば起こり得る課題である。また、ライブビュー機能を有するデジタルカメラに限らず、前述したような通信手段を用いて映像を外部装置に出力するとともに、映像データを外部装置に出力しないと電力供給を停止する装置であれば、デジタルカメラに限らず発生する課題である。【００２８】
以上説明したように、本発明は、映像出力装置と、映像出力装置から出力された映像データを表示する映像表示装置とを、映像出力装置からの電力供給の停止に伴って電気的な接続を切断するように構成された通信手段を用いて接続しており、映像表示装置に対して映像データの出力が一時的に停止された後に映像データの出力が再開される動作モードで映像出力装置が動作している場合には、電気的な接続を切断しないように制御することで、映像表示装置で映像が表示されない期間を短縮することを目的とする。
【課題を解決するための手段】
【００２９】
上記目的を達成するために、本発明の映像表示装置は、映像データを出力する映像出力装置と電力伝送が可能な通信手段を介して接続され、当該通信手段を用いて前記映像出力装置から入力された映像データを表示する映像表示装置であって、前記映像出力装置は、前記映像表示装置に対する映像データの出力に伴って電力を前記映像表示装置に供給するとともに、映像データの出力の停止に対応して電力の供給も停止する構成を有し、前記映像表示装置は、前記映像出力装置から出力される電力の供給状態を検知する検知手段と、前記映像出力装置の動作モードを示す情報を取得する取得手段と、前記映像出力装置から電力が供給されたことに応じて、前記映像出力装置と前記通信手段を介して電気的に接続するための制御信号をオンレベルとして前記映像出力装置と電気的に接続し、前記映像出力装置からの電力供給が停止された場合には、前記制御信号をオフレベルとすることで前記映像出力装置との電気的な接続を切断する制御を行う制御手段と、を有し、前記制御手段は、前記制御信号をオンレベルとしている状態において電力の供給が停止されたことを前記検知手段が検知した場合、前記取得手段で取得した前記映像出力装置の動作モードが、映像データの出力を一時的に停止した後に映像データの出力を再開する動作モードである場合には、前記制御信号をオフレベルに変更しないように制御する。【００３０】
また、上記目的を達成するために、本発明の映像出力装置は、入力された映像データを表示する映像表示装置と電力伝送が可能な通信手段を介して接続され、当該通信手段を用いて前記映像表示装置に対して映像データを出力する映像出力装置であって、前記映像表示装置は、前記映像出力装置から電力の供給が行われたことに応じて、前記通信手段を介して前記映像出力装置と電気的に接続する構成を有し、前記映像出力装置は、前記映像表示装置に対して映像データを出力する場合には、電力を前記映像表示装置に供給する制御を行う制御手段と、前記映像出力装置における動作モードを監視する監視手段と、を有し、前記制御手段は、前記映像出力装置における動作モードが、映像データの出力を一時的に停止した後に映像データの出力を再開する動作モードであると前記監視手段によって判定された場合には、当該動作モードで前記映像出力装置が動作している間は前記映像表示装置に対する映像データの出力が停止された場合も電力を常時供給するように制御する。
【発明の効果】
【００３１】
以上説明したように、本発明によれば、映像出力装置と、映像出力装置から出力された映像データを表示する映像表示装置とを、映像出力装置からの電力供給の停止に伴って電気的な接続を切断するように構成された通信手段を用いて接続しており、映像表示装置に対して映像データの出力が一時的に停止された後に映像データの出力が再開される動作モードで映像出力装置が動作している場合に、電気的な接続を切断しないように制御することで、映像表示装置で映像が表示されない期間を短縮することが可能となる。
【図面の簡単な説明】
【００３２】
【図１】本発明を適用可能な映像表示システムにおけるブロック図である。
【図２】実施例１に係る制御フローを示すフローチャートである。
【図３】実施例１に係る機器管理テーブルを示す概要図である。
【図４】実施例１に係るタイミングチャートである。
【図５】従来の技術を適用した場合のタイミングチャートである。
【図６】実施例２に係る撮像装置（デジタル一眼レフカメラ）のブロック図である。
【図７】実施例２に係る制御フローを示すフローチャートである。
【図８】実施例２に係る制御フローを示すフローチャートである。
【図９】従来のデジタル一眼レフカメラの概略構成図である。
【発明を実施するための形態】
【００３３】
以下、添付図面を参照して、本発明の実施例を説明する。なお、各実施例に記載されている構成部品の機能や名称などは、特別な記載が無い限り、本発明の範囲を限定するものではない。
【実施例１】
【００３４】
図１は、本発明を適用可能な映像表示システムの構成を示す概略図であり、特に、映像表示装置としてのモニタ１００について具体的な構成を示したものである。【００３５】
映像データをモニタ１００に出力する映像出力装置としての撮像装置１０１は、ＨＤＭＩ規格に準拠した電力伝送可能な接続線（ＨＤＭＩケーブル）を介してモニタ１００と接続される。モニタ１００は、撮像装置１０１から出力された映像データを、後述する表示部２０６に表示することができる。【００３６】
なお、撮像装置１０１の構成は、背景技術欄で説明した一眼レフタイプのデジタルカメラに相当するものであり、その内部構成は図９に示したものと同一であるため、説明を省略する。但し、この撮像装置１０１は、ファインダにて被写体像を観察しながら撮影する通常撮影モードと、ライブビュー撮影モードを備えている。ライブビュー撮影モードとは、レンズを透過した入射光を撮像素子で撮像し、プレビュー用の映像データに変換してデジタルカメラの液晶画面等の表示器にリアルタイムに表示する機能である。ライブビュー撮影モードを搭載したデジタルカメラでは、撮影者はファインダではなく、表示器に表示されるライブビュー画像を確認しながらフォーカス調整や撮影を行うことが可能となる。従って、ライブビュー機能の利用は、ファインダを覗けないようなアングルの撮影などでも、静止画の撮影前にフォーカスや構図を確認することを可能とする。そして、ライブビュー撮影モードの場合にＨＤＭＩケーブルでモニタ１００と接続されている場合には、ライビュー映像はＨＤＭＩケーブル経由でモニタ１００の表示部２０６に出力されるものとする。【００３７】
また、撮像装置１０１側のＨＤＭＩトランスミッタは、ＨＤＭＩケーブルで接続されたモニタ１００に対して映像データを出力中に、ＨＤＭＩトランスミッタに対して映像データの入力が停止されると、５ＶＰｏｗｅｒの出力も停止する。つまり、撮像装置１０１は映像データと５ＶＰｏｗｅｒが並行して外部に出力される構成を有する。【００３８】
ＣＰＵ２０１は、バス２２１を介して接続されたＲＯＭ（不図示）に格納されたプログラムに従い、ＲＡＭ（不図示）をワークメモリとして、モニタ１００全体の動作を統括的に制御する。また、ＣＰＵ２０１は、操作入力部２０２から入力されたユーザからの指示に応じて、各機能部を制御する。【００３９】
ＨＤＭＩレシーバ２０３は、ＨＤＭＩポート１０２から入力された映像データ及び音声データを、モニタ１００の表示部２０６で出力可能なデータ構造に変換し、映像処理部２０４及び音声処理部２０５へ出力する。【００４０】
映像処理部２０４へ入力された映像データは、高画質化処理等の信号処理が適用され、最終的に表示部２０６でユーザが視認可能な映像として表示される。音声処理部２０５へ入力された音声データは、高音質化処理等の信号処理が適用され、音声出力部２０７で音声として出力される。【００４１】
ＨＤＭＩポート１０２は、ＴＭＤＳライン２１１、５ＶＰｏｗｅｒライン２０８、及びＤＤＣライン２１２をそれぞれ備える。さらに、制御信号線としてのＨＰＤライン２０９とＣＥＣライン２１０を備えている。これらのラインは、ＨＤＭＩポート１０２に接続されているＨＤＭＩケーブル１０４内にも当然実装されており、ＨＤＭＩケーブル１０４内の各ラインがＨＤＭＩポート１０２を介して、モニタ１００内の各ラインとが接続されることになる。以下は、モニタ１００内の各ラインに関する説明である。【００４２】
ＨＤＭＩ制御部２１３は、５ＶＰｏｗｅｒ判定部２１４、ＨＰＤ処理部２１５、ＨＰＤ送信部２１６、ＣＥＣ解析部２１７、ＣＥＣ送受信部２１８を備える。ＨＤＭＩ制御部２１３が備えるこれらの機能部は、ＣＰＵ２０１または図示されないサブマイコンに備えられたＲＯＭに格納されたプログラムにより制御される。また、ＨＤＭＩ制御部２１３自身が、ＨＤＭＩ制御部２１３の管理下に置かれた上記の各機能部を統括的に制御するとともに、ＨＤＭＩ通信に係る各種の制御も実行する。【００４３】
ＴＭＤＳライン２１１は、撮像装置１０１からモニタ１００に対して映像データ及び音声データ及び補助データを送信するための信号線である。また、ＤＤＣライン２１２は、モニタ１００と撮像装置１０１間でのＥＤＩＤの送受信を行うための信号線である。ＴＭＤＳライン２１１及びＤＤＣライン２１２は、ＨＤＭＩレシーバ２０３に接続される。また、ＤＤＣライン２１２にはＥＤＩＤ用ＲＯＭ２１９が接続される。【００４４】
モニタ１００の機器情報、即ち、モニタ１００のＥＤＩＤを記憶する手段としてのＥＤＩＤ用ＲＯＭ２１９には、ディスプレイの表示性能等の各種情報や、フィジカルアドレスなどの、ＣＥＣ通信で使用するＨＤＭＩポート１０２のアドレス情報などが格納される。また、ＥＤＩＤ用ＲＯＭ２１９には、ＨＤＭＩポート１０２に対しての個別のフィジカルアドレスが格納される。本発明では、モニタ１００に設けられたＨＤＭＩポートは１つのみで、ＥＤＩＤ用ＲＯＭ２１９にはフィジカルアドレスとして［１．０．０．０］が格納されている。【００４５】
ＨＤＭＩポート１０２から導かれるＨＰＤライン２０９は、制御部内のＨＰＤ送信部２１６に接続される。ＨＰＤライン２０９は、撮像装置１０１に対してＤＤＣアクセスの準備が完了したことを通知するためのラインである。【００４６】
ＨＰＤ送信部２１６は、ＨＰＤラインの電位を、高電圧のＨｉｇｈ状態（オンレベル）および低電圧のＬｏｗ状態（オフレベル）の何れかの状態に設定するようにＨＰＤ信号を制御する。このＨＰＤ信号はモニタ１００と撮像装置１０１との電気的な接続の確立及び切断する制御信号として機能するものである。電位がＨｉｇｈ状態の場合は、ＨＤＭＩポート１０２においてＤＤＣアクセスの準備が完了し、ＤＤＣアクセスがオン状態となる。電位がＬｏｗ状態の場合は、ＤＤＣアクセスがオフ状態となる。なお、ＨＤＭＩ規格によれば、Ｈｉｇｈ状態は電圧が２．４Ｖ〜５．３Ｖの範囲であり、Ｌｏｗ状態は電圧が０Ｖ〜０．４Ｖの範囲とされている。撮像装置１０１は、ＤＤＣアクセスがオン状態となったことを認識し、ＤＤＣチャンネルを用いてＥＤＩＤの取得処理を実行する。【００４７】
ＨＤＭＩポート１０２から導かれるＣＥＣライン２１０は、制御部内のＣＥＣ送受信部２１８に接続される。ＣＥＣライン２１０は、モニタ１００と撮像装置１０１との間でＣＥＣ通信するためのラインであり、バス接続されている。【００４８】
モニタ１００は、撮像装置１０１からＣＥＣコマンドを受信するとＣＥＣ解析部２１７でコマンド解析を行い、接続されている機器の情報を機器管理部２２０に蓄積する。ここで機器の情報とは、例えば接続されるＨＤＭＩポートと対応付けられるフィジカルアドレス、デバイスタイプを示すロジカルアドレス、製造メーカを示すベンダーＩＤ、接続された機器をユーザに通知するための機器名などである。【００４９】
ＨＰＤ処理部２１５は、５ＶＰｏｗｅｒ判定部２１４から５ＶＰｏｗｅｒの供給状態を通知された場合に、機器管理部２２０に保持してある機器管理情報に基づき、ＨＰＤ信号の状態切り換え制御が必要か不要かを判定する。ＨＰＤ送信部２１６は、ＨＰＤ処理部２１５の判定結果に基づき、ＨＰＤ信号のＨｉｇｈ状態／Ｌｏｗ状態の切り換えを制御する。【００５０】
ＨＤＭＩレシーバ２０３は、ＨＤＭＩポート１０２から供給された映像データおよび音声データの暗号を解除して映像処理部２０４へ出力する。【００５１】
次に、図２のフローチャートを用いて本実施例の制御を説明する。図２は、本実施例の制御手順を示すフローチャートである。前提として、モニタ１００は撮像装置１０１とＨＤＭＩケーブル１０４で接続されているものとする。【００５２】
ステップＳ３０１では、５ＶＰｏｗｅｒ判定部２１４は、撮像装置１０１からの５ＶＰｏｗｅｒの入力（電力供給）が発生するか否かの検出状態で待機する。ＨＤＭＩケーブル１０４が接続されている状態で撮像装置１０１の電源がＯＦＦの場合や通常撮影モードの場合には、５ＶＰｏｗｅｒの入力は行われない。反対に、撮像装置１０１がライブビュー撮影モードの場合や再生モードの場合には、モニタ１００に対して映像データを出力することに伴い、５ＶＰｏｗｅｒの入力が継続的に行われる。５ＶＰｏｗｅｒの入力が発生したことを５ＶＰｏｗｅｒ判定部２１４が検知した場合には、ステップＳ３０２へ処理が移行される。【００５３】
ステップＳ３０２では、ＨＰＤ処理部２１５は、Ｌｏｗレベルに設定されていたＨＰＤ信号をＨｉｇｈレベルに切り換える設定を行う。この処理により、モニタ１００のＨＤＭＩポート１０２においてＤＤＣアクセスがオン状態となるなど、撮像装置１０１との電気的な接続を開始する処理が開始される。【００５４】
続いて、ステップＳ３０３では、ＨＤＭＩ制御部２１３は、撮像装置１０１からＤＤＣ通信によってＥＤＩＤの送信要求を受信する。具体的には、ＨＰＤ信号がＨｉｇｈ状態になったことをトリガとしてＤＤＣアクセスがオン状態に遷移したことを検知した撮像装置１０１側から、ＤＤＣラインを介してＥＤＩＤ用ＲＯＭ２１９に対するスレーブアドレスおよびリードコマンドが送信される。【００５５】
当該コマンドを受信したＨＤＭＩ制御部２１３は、ステップＳ３０４で、ＥＤＩＤ用ＲＯＭ２１９からＥＤＩＤを読み出し、ＤＤＣラインを介して撮像装置１０１にＥＤＩＤを送信する。【００５６】
続いて、ステップＳ３０５では、モニタ１００のＨＤＭＩ制御部２１３のＣＥＣ解析部２１７は、撮像装置１０１から送信された機器情報を解析する。具体的には、ＣＥＣ解析部２１７は、撮像装置１０１からＣＥＣラインを介して送信されたコマンドパラメータに含まれるロジカルアドレス、ベンダーＩＤ、動作モードなどの情報を取得して解析する。解析した機器情報は、モニタ１００の機器管理部２２０へ送信され、機器管理部２２０は取得した機器情報を機器管理テーブルとして保持する。ここまでの処理により、撮像装置１０１とモニタ１００は電気的に接続された状態となる。【００５７】
機器管理テーブルで管理される情報を図４に示す。この機器管理テーブルでは、ＨＤＭＩポート１０２に接続されているデバイスは、ロジカルアドレスが４で、ベンダーＩＤが００００００であることが管理されている。ロジカルアドレスはＨＤＭＩ規格において定められた機器種別を示す情報であり、その値である４は再生装置を示すものである。また、本実施例では撮像装置１０１とモニタ１００を提供するメーカ（ベンダー）が独自に取り決めたベンダーコマンドを用いて、デバイスタイプも特定している。つまり、ロジカルアドレス４の再生装置が撮像装置であることも併せて取得して管理している。なお、デバイスタイプの特定はベンダーコマンドを用いる方法に限定されない。【００５８】
続いて、ステップＳ３０６では、ＨＤＭＩ制御部２１３は、機器情報の取得とともに、撮像装置１０１からＴＭＤＳチャンネルを介して映像データの入力が有るか否かを判定する。映像データの入力が有る場合には、ステップＳ３０７で、ＣＰＵ２０１はＨＤＭＩレシーバ２０３に入力された映像データを表示部２０６に表示する処理を行う。【００５９】
映像データの入力が有る状態から、映像データの入力が無い状態に遷移した場合には、ＨＤＭＩ制御部２１３は処理をステップＳ３０８へ移行させる。ステップＳ３０８では、５ＶＰｏｗｅｒ判定部２１４によって、５ＶＰｏｗｅｒの入力が有るか否かが判定される。５ＶＰｏｗｅｒの入力が有る場合には、ステップＳ３０６へ移行され、映像の入力待機状態となる。【００６０】
一方、ステップＳ３０８において、５ＶＰｏｗｅｒ判定部２１４により、５ＶＰｏｗｅｒの入力がないと判定された場合には、ステップＳ３０９に処理が移行される。ステップＳ３０９では、ＨＤＭＩ制御部２１３はＣＥＣラインを介してモード確認コマンドを撮像装置１０１に対して送信する。このモード確認コマンドは、撮像装置１０１の現在の動作モードを問い合わせるためのものである。より具体的には、モニタ１００が、撮像装置１０１の動作モードが通常撮影モードに設定されているのか、それともライブビュー撮影モードに設定されているのかを撮像装置１０１に問い合わせる目的で送信される。なお、モード確認コマンドはＣＥＣにおけるベンダーコマンドとして独自に拡張されたコマンドである。【００６１】
ステップＳ３０９では、ＨＤＭＩ制御部２１３は機器管理テーブルを参照し、ＨＤＭＩケーブル１０４で接続されている機器が撮像装置である場合に上記のモード確認コマンドを送信する。図２では省略しているが、ＨＤＭＩ制御部２１３は、ステップＳ３０５で取得した機器情報が撮像装置であるか否かを判定し、撮像装置である場合にモード確認コマンドを送信するように制御する。例えば装置の電源オン／オフに追従して５ＶＰｏｗｅｒの供給がオン／オフになるようなブルーレイレコーダが接続機器であると判定された場合には、５ＶＰｏｗｅｒの入力が停止した時点で即座にステップＳ３１２へ移行することができる。【００６２】
但し、本発明における映像出力装置は撮像装置に限定されるわけではない。従って、取得した機器情報によって示される機器の種別によって、本実施例における制御を適用するべき装置か否かを判定することになる。【００６３】
ステップＳ３１０において、所定時間内に撮像装置１０１からモード確認コマンドに応答する情報が入力されない場合には、ＨＤＭＩ制御部２１３は、撮像装置１０１とモニタ１００とのＨＤＭＩ接続が遮断されたと判断する。ＨＤＭＩ接続の遮断とは、例えば、撮像装置１０１の電源オフや、ＨＤＭＩケーブル１０４がＨＤＭＩポート１０２から抜かれた等の状態である。そこで、ステップＳ３１２では、ＨＤＭＩ制御部２１３はＨＰＤ処理部２１５に指示を発行し、ＨＰＤ処理部２１５はＨＰＤ信号をＨｉｇｈレベルからＬｏｗレベルに切り換える設定を行う。これにより、モニタ１００は撮像装置１０１とのＨＤＭＩ接続を切断した状態に移行する。【００６４】
ステップＳ３１０において、モード確認コマンドに応答して、撮像装置１０１からＣＥＣラインを介して撮影モードを示す情報が所定時間内に入力された場合には、ステップＳ３１１に処理を移行する。【００６５】
ステップＳ３１１では、ＣＥＣ解析部２１７は、撮像装置１０１から送信された撮影モードを示す情報が、通常撮影モードを示す情報であるか、ライブビュー撮影モードを示す情報であるかを判定する。撮像装置１０１から送信された情報が通常撮影モードを示す情報である場合は、ステップＳ３１２に処理を移行する。【００６６】
撮像装置１０１からモニタ１００に映像データが出力されている状態から通常撮影モードに遷移するケースとしては、撮像装置１０１が画像再生モードから通常撮影モードに遷移した場合や、ライブビュー撮影モードから通常撮影モードに遷移した場合が挙げられる。いずれのケースも、通常撮影モードに遷移したことにより、撮像装置１０１内部ではＨＤＭＩトランスミッタに映像データが入力されないので、結果的にモニタ１００に対して映像データが入力されない。そのため、撮像装置１０１からモニタ１００に対する５ＶＰｏｗｅｒの供給が停止される。５ＶＰｏｗｅｒの供給停止に伴い、モニタ１００ではＨＰＤ信号をＬｏｗレベルに設定し、ＨＤＭＩの電気的な接続を切断する。【００６７】
一方、撮像装置１０１から送信された情報がライブビュー撮影モードを示す情報である場合は、ライブビュー撮影中にシャッターボタンが押下されたために、一時的に映像入力が停止され、それに伴って５ＶＰｏｗｅｒの入力も停止されたと判断する。そこで、ＨＤＭＩ制御部２１３は、ＨＰＤ信号をＨｉｇｈレベルに維持したまま、ステップＳ３０６に処理を移行し、再度映像が入力されるのを待つ。【００６８】
以上が本実施例における制御フローである。なお、本実施例では映像出力装置としてライブビュー撮影モードを備えた撮像装置、即ち、デジタル一眼レフカメラを用いて説明した。そのため、ステップＳ３１１では、ライブビュー撮影モードであるか通常撮影モードであるかの２択によって制御を切り分けている。しかし、ステップＳ３０９においても記載したように、映像出力装置はデジタル一眼レフカメラに限定されるものではない。そのため、他の種類の映像出力装置において、映像データの出力を一時的に停止した後に映像データの出力を再開する動作モードを有し、当該動作モードの場合にＨＰＤ信号をＨｉｇｈレベルで維持する制御が好適な場合には、ステップＳ３１１では、その映像出力装置が当該動作モードであるか否かを判定すれば良い。【００６９】
続いて、この制御フローに基づく処理を、図３に示したタイミングチャートを用いて説明する。【００７０】
図３の（ａ）〜（ｅ）は、ＨＤＭＩポート１０２における各種信号（データ）の入力タイミングを示している。（ａ）は５ＶＰｏｗｅｒライン２０８における電圧変化を示しており、撮像装置１０１からの５ＶＰｏｗｅｒの入力状態に相当する。（ｂ）は、ＣＥＣライン２１０のコマンド送受信状態を示している。また、（ｃ）はモニタ１００のＨＰＤライン２０９の電圧変化を示している。（ｄ）はＤＤＣライン２１２のアクセス状態を示している。最後に、（ｅ）は撮像装置１０１から出力された、ＴＭＤＳライン２１１を通る映像データの伝送状態を示している。【００７１】
まず、時間ｔ１で、撮像装置１０１はライブビュー撮影モードに設定されたとする。ライブビュー撮影モードに設定されたことで、撮像装置１０１から５ＶＰｏｗｅｒライン２０８を介して５ＶＰｏｗｅｒの入力が行われる。５ＶＰｏｗｅｒの入力を受けると、５ＶＰｏｗｅｒ判定部２１４は、５ＶＰｏｗｅｒライン２０８の電圧値に基づき、撮像装置１０１から映像出力が発生すると判定する。そして、時間ｔ２で、ＨＰＤ処理部２１５はＨＰＤ信号をＬｏｗ状態からＨｉｇｈ状態に切り換える。その後、時間ｔ３で撮像装置１０１からモニタ１００に対してＤＤＣラインを介してＥＤＩＤの送信要求が伝送され、モニタ１００は撮像装置１０１に対してＥＤＩＤの送信処理を実行する。【００７２】
ＥＤＩＤの送信処理が終了すると、時間ｔ４で撮像装置１０１からＣＥＣライン２１０を介して機器情報が送信される。機器情報の送受信が完了すると、電気的な接続が確立される。その後、時間ｔ５で撮像装置１０１からＴＭＤＳライン２１１を介して映像データが入力される。モニタ１００では、この入力された映像データを処理し、表示部２０６で表示する。【００７３】
ここまでの処理により、ライブビュー撮影モードに設定された撮像装置１０１の撮像素子で捉えた被写体光から変換された映像データが、ＨＤＭＩケーブル１０４を介してモニタ１００に入力されている状態となる。この状態において、時間ｔ６でユーザが撮像装置１０１のシャッターボタンを押下したとする。このとき、本発明の背景技術で説明したとおり、撮像装置１０１からモニタ１００に対する５ＶＰｏｗｅｒの供給が停止されることとなり、モニタ１００への映像データの入力も一時的に停止される。その間、モニタ１００はＣＥＣライン２１０を介して撮像装置１０１に対してモード確認コマンドを送信し、その応答結果から、撮像装置１０１の動作モードを判定する。つまり、時間ｔ６の後、モニタ１００は図２で示したステップＳ３０９、ステップＳ３１０、ステップＳ３１１の処理を実行している。従来の技術であれば、５ＶＰｏｗｅｒの入力が停止された時点で、ＨＰＤ信号をＬｏｗレベルに遷移させ、ＨＤＭＩ接続を電気的に切断していた。しかし、本実施例によれば、ライブビュー撮影モードにおいて５ＶＰｏｗｅｒの入力が切断された状態であると判断した場合には、ＨＰＤ信号をＨｉｇｈレベルのまま維持し、Ｌｏｗレベルに変更しない。【００７４】
その後、撮像装置１０１は、時間ｔ７で撮影処理が終了したことに従って、時間ｔ８でライブビュー映像をモニタ１００に出力するように映像データの出力を再開しようとする。そのため、映像データの出力再開に対応して撮像装置１０１からモニタ１００に対して再び５ＶＰｏｗｅｒが入力される。しかし、モニタ１００ではＨＰＤ信号をＨｉｇｈレベルで維持しているため、５ＶＰｏｗｅｒが再度入力されたとしても、再びＥＤＩＤの送受信などの接続処理を実行しなくてもよい。その結果、撮像装置１０１から再び入力された映像データを時間ｔ９で即座に表示することができる。【００７５】
図５は本発明を適用していないモニタ１００でのタイミングチャートである。つまり、本発明の背景技術及び課題欄に記載した内容である。このタイミングチャートで示したように、時間ｔ６でシャッターボタンが押下されたことに伴い、モニタ１００に対する５ＶＰｏｗｅｒの入力も停止されるが、それに応答してＨＰＤ信号もＨｉｇｈレベルからＬｏｗレベルに切り替わることになる。そのため、時間ｔ８で再び５ＶＰｏｗｅｒが入力されたとしても、時間ｔ１からｔ５までの間に行われた処理と同様の処理を繰り返すことになり、ライブビュー映像の映像データがモニタ１００の表示部２０６で出力可能となるのは時間ｔ１０となってしまう。本実施例に記載した制御によれば、これまで時間ｔ１０までかかっていたライブビュー撮影後のライブビュー映像の再表示時間を上述したタイミングチャートで示した時間まで短縮することができる。【００７６】
以上説明したように、本実施例では、映像データの外部出力と５ＶＰｏｗｅｒの外部供給とが対応付けられている撮像装置１０１と、撮像装置１０１から出力された映像データを表示するモニタ１００とを、５ＶＰｏｗｅｒの供給停止に伴って電気的な接続を切断するように構成されたＨＤＭＩを用いて接続しており、撮像装置１０１がライブビュー撮影モードで動作している場合、撮像装置１０１からモニタ１００への５ＶＰｏｗｅｒの供給が停止しても、ＨＰＤ信号をＨｉｇｈ状態で維持するように制御する。これにより、ライブビュー撮影モードにおいて撮影を行った場合、撮影後にモニタ１００でライブビュー映像が表示されない期間を従来の技術に比べて短縮することができる。【００７７】
なお、映像表示装置としてのモニタには、外部の映像出力装置からの映像データの入力が停止したことを検知し、自動的にサスペンド状態に移行したり、他の映像出力装置の入力に切り換えたりする機能が搭載されていることが多い。つまり、これは映像の非表示状態を回避する機能である。本実施例の場合、５ＶＰｏｗｅｒの供給が停止した場合でも、ライブビュー撮影モードの場合にはＨＰＤ信号をＨｉｇｈレベルで維持することで、ＨＤＭＩの電気的な接続は継続される。しかし、ＨＤＭＩの接続状態の維持とは別に、モニタが上記の機能を実行してしまうと、結果として、映像データの再入力が撮像装置１０１から発生しても、映像データの再表示までに時間がかかることになる。このような状況はユーザにとって望ましい状況ではない。【００７８】
そこで、ＣＰＵ２０１はステップＳ３１１において、撮像装置１０１の動作モードがライブビュー撮影モードであるとＣＥＣ解析部３１２が判定した場合には、映像の非表示状態を回避する機能を実行しないように制御する。つまり、ＨＤＭＩレシーバ２０３で受信した映像データを表示部２０６に出力することが可能な内部状態のまま、撮像装置１０１からの映像データの再入力を待つ制御である。このように制御することで、ＨＤＭＩの電気的な接続が維持されているにも拘わらず、モニタ１００がサスペンド状態などに遷移することで、結果として映像データの再表示に時間が掛かる状態になることを回避することが可能となる。もちろん、撮像装置１０１の動作モードがライブビュー撮影モード以外のモードの場合には、映像の非表示回避機能を実行して良い。
【実施例２】
【００７９】
続いて、本発明の第２の実施例について図を用いて説明を行う。なお、上述した実施例１で説明した内容と共通する機能、処理等については説明を省略する。【００８０】
上述した実施例１ではモニタ１００側の制御によって、ライブビュー映像の再表示までの時間短縮を図っていたが、本実施例では、撮像装置側の制御によって、ライブビュー映像の再表示までの時間短縮を図るものとする。【００８１】
図６は、本実施例における撮像装置７００としてのデジタル一眼レフカメラの構造を示すブロック図である。このデジタル一眼レフカメラは通常撮影モードとライブビュー撮影モードとを備え、ライブビュー撮影モードの場合には、ＨＤＭＩ端子を介して、映像データをモニタに出力することが可能である。なお、図６にはモニタの開示は無いが、実施例１に記載した機能を有するモニタではなく、背景技術及び課題欄に記載したのと同様のモニタが撮像装置とＨＤＭＩケーブルを介して接続されているものとする。つまり、本実施例のモニタは、ＨＤＭＩケーブルを介して５ＶＰｏｗｅｒの供給が停止されたことに応じて、ＨＰＤ信号をＬｏｗレベルに遷移させて電気的な接続を切断する構成となっている。【００８２】
まず、ＣＰＵ７０１は、不図示のＲＯＭ及びＲＡＭとバスを介して接続されており、ＲＯＭに格納されたプログラムに従い、ＲＡＭをワークメモリとして撮像装置７００全体の動作を制御する。また、ＣＰＵ７０１は、キー入力部７０２を介して入力されたユーザからの指示を検出し、撮像装置７００を制御するための各種コマンドや制御信号を生成して出力する。【００８３】
動作モード管理部７０３は、キー入力部７０２により指定された動作モードを保持するとともに、撮像装置７００全体の動作状態を管理し、各駆動部の動作内容を定義する。例えば、ライブビュー撮影モードであれば、そのモード情報と、該モードにおける可動ミラーの撮影光路内への進退状態を保持し、後述する５ＶＰｏｗｅｒ制御部７０４や映像データ出力部７１１等の各駆動部、制御部の動作遷移を定義している。【００８４】
接続検知部７０６は、ＴＭＤＳ信号のバイアスレベルを検知する。ＴＭＤＳライン７０７は、ＨＤＭＩトランスミッタ７０５側がオープンドレインの電流源、不図示のレシーバ側は差動レシーバとして構成されている。接続検知部７０６は、ＨＤＭＩトランスミッタ７０５側において、ＴＭＤＳ信号をコンパレータ等で比較することによりバイアスレベルを検知する。ＣＰＵ７０１は、バイアスがかかっているか否かにより、撮像装置７００とモニタとの接続状態を確認できる。なお、接続検知部７０６はＣＥＣ通信を使って、モニタへコマンド送信し、そのコマンドに対する応答の有無によっても接続を確認することができる。【００８５】
ＳＷ部７０９は、＋５Ｖ電源７１０とＨＤＭＩ端子の５ＶＰｏｗｅｒライン７０８を短絡、開放可能なＳＷ回路であり、５ＶＰｏｗｅｒ制御部７０４によって、オンまたはオフの制御がなされる。【００８６】
映像データ出力部７１１は、ライブビュー撮影モードによって撮像素子１００１で受光した光信号から生成した映像信号や、不図示の記録部に記録された撮影データをデコードし、ＨＤＭＩトランスミッタ７０５で出力可能な映像データに変換する。【００８７】
信号発生部７１３は、レジスタブロック７１４に保持されているデータを読み出し、当該データを用い映像データを発生させ、パケット処理部７１２に入力する。レジスタブロック７１４にはＲＧＢの各データが保持されており、例えばＲ＝Ｇ＝Ｂ＝０を保持しておくことで、アクティブビデオ領域を全面黒画像としたミュート映像を出力することができる。【００８８】
パケット処理部７１２は、ＣＰＵ７０１の指示に従い、撮像素子１００１から出力された映像信号と信号発生部７１３で生成した映像信号のどちらか一方の信号データを、ＨＤＭＩトランスミッタ７０５へ出力する。【００８９】
ＨＤＭＩトランスミッタ７０５は、モニタ側のレシーバとＨＤＭＩケーブル１０４を介して接続され、ＴＭＤＳライン７０７を使って映像データを出力する。【００９０】
以上が、本実施例における撮像装置７００の構成である。なお、撮像素子１００１、可動ミラー１００２、撮像レンズ１００３、ファインダ１００４、焦点制御センサ１００５、サブミラー１００６、ミラー駆動部１００７については、従来技術で説明した撮像装置の構成と同様であるので説明を省略する。【００９１】
続いて、本発明の撮像装置７００の動作及び制御について、図７及び図８に示すフローチャートを用いて説明を行う。【００９２】
図７は、撮像装置７００がライブビュー撮影モードに設定された場合の制御フローである。まず、ステップＳ８０１では、ＣＰＵ７０１は、撮像装置７００の電源がオン状態になると動作モードの監視を開始する。ＣＰＵ７０１は、ステップＳ８０２において、動作モードがライブビュー撮影モードに設定されたと判断すると、ステップＳ８０３に処理を移行し、接続検知部７０６を制御して、ＨＤＭＩケーブルの接続状態を確認する。接続検知部７０６がバイアスレベルに従って接続検知を行い、その結果をＣＰＵ７０１へ出力する。【００９３】
ＣＰＵ７０１は、接続検知部７０６によってＨＤＭＩケーブルが接続されていると判断した場合には、ステップＳ８０５へ処理を移行する。ステップＳ８０５では、ＣＰＵ７０１は映像データ出力部７１１がＨＤＭＩトランスミッタ７０５に対して映像データが出力されているか否かを確認する。映像データの出力中であればステップＳ８０６へ処理を移行する。【００９４】
ステップＳ８０６では、ＣＰＵ７０１はＳＷ部７０９を短絡状態とし、５ＶＰｏｗｅｒライン７０８へ５Ｖの電力が供給されるように制御する。一方、ステップＳ８０４でＨＤＭＩ接続が検知されなかった場合、またはステップＳ８０５で映像データをＨＤＭＩトランスミッタ７０５に対して出力していない場合は、ＣＰＵ７０１はステップＳ８０７へ処理を移行する。【００９５】
ステップＳ８０７では、ＣＰＵ７０１はＳＷ部７０９を開放状態とし、５ＶＰｏｗｅｒライン７０８がハイ・インピーダンス状態となるように制御する。つまり、５Ｖ電源から５ＶＰｏｗｅｒライン７０８に対して５Ｖの電力が供給されないようにする。【００９６】
以上が、撮像装置７００がライブビュー撮影モードに設定された場合の制御フローである。このように制御することで、ライブビュー撮影モードの場合には、常時５ＶＰｏｗｅｒラインに対して５ＶＰｏｗｅｒが供給されることになる。従って、ライブビュー撮影モードにおいてシャッターボタンが押下され、一時的にＨＤＭＩトランスミッタ７０５への映像データの入力が停止したとしても、モニタに対しては５ＶＰｏｗｅｒが供給され続けることになる。結果として、モニタ側ではＨＰＤ信号がＨｉｇｈ状態で維持されるため、電気的な接続が切断されることはない。【００９７】
図７に示した制御がなされた後、実際にライブビュー撮影モードにおいて撮影された場合の動作については図８を用いて説明する。図８は、ライブビュー撮影モードにおいて、シャッターボタンが押下された場合の制御フローである。【００９８】
ＣＰＵ７０１は、ステップＳ９０１において、シャッターボタンの押下操作を監視する。ステップＳ９０１にて、シャッターボタンの押下操作がなされたことをＣＰＵ７０１が検知すると、ステップＳ９０２における撮影動作に移行する。ステップＳ９０２では、ＣＰＵ７０１は、ミラー駆動部１００７を制御し、可動ミラー１００２を退避状態から一旦、撮影光路内に進入させる。【００９９】
ＣＰＵ７０１は、ステップＳ９０３において、可動ミラー１００２が撮影光路内に進入しているか、退避しているかを判断する。可動ミラー１００２が撮影光路に進入している場合には、撮像素子１００１には露光が行われないため、撮像素子１００１から映像データ出力部７１１に対して映像データが入力されない。そのため、従来の技術ではＨＤＭＩトランスミッタ７０５に対して映像データが入力されないことになり、結果として、５ＶＰｏｗｅｒがオフレベルに遷移し、モニタ側では電気的な接続を切断してしまう。しかしながら、本実施例では、可動ミラー１００２が撮影光路に進入している間でも、５Ｖ電源７１０から５ＶＰｏｗｅｒラインに対して５Ｖ電力が常時供給されているため、電気的な接続は維持されることになる。【０１００】
ただし、モニタによっては、５ＶＰｏｗｅｒの入力が継続していても、映像データの入力が無い場合には、モニタの表示部に表示をサスペンド状態としたり、他の入力端子の映像に切り換えたりするなどの非表示状態の回避処理を実行するものがある。こうした回避処理が発生すると、回避状態から再び映像表示状態に復帰させるまでに時間を要することになる。また、ユーザにしてみても、ライブビュー撮影実行時に、その都度モニタ側の非表示状態回避処理が生じるのは望ましくない。【０１０１】
そこで、本実施例では、ライブビュー撮影の実行時、ＨＤＭＩトランスミッタ７０５に撮像素子１００１からの映像データが入力されない期間中は、ＣＰＵ７０１からの制御に基づいて映像データ出力部７１１が、信号発生部７１３が発生させた映像データを代替用映像データとしてＨＤＭＩトランスミッタ７０５に入力する。つまり、ＣＰＵ７０１は、モニタに対して映像データが常時出力されている状態となるように制御している。この制御によって、モニタ側の非表示回避処理が生じないようにでき、結果として、可動ミラー１００２が退避状態となった場合（ステップＳ９０４の場合）に即座にライブビュー映像をモニタの表示部に表示させることが可能となる。【０１０２】
ライブビュー撮影の終了によって可動ミラー１００２が退避位置に移動した場合には、ＣＰＵ７０１は、代替用映像データに替えて撮像素子１００１からの映像データをＨＤＭＩトランスミッタ７０５に入力するように切り換えるように制御する。【０１０３】
以上が実施例２における映像出力装置の制御に関する説明である。なお、本実施例では映像出力装置としてライブビュー撮影モードを有するデジタル一眼レフカメラを好適な例として用いて説明した。しかし、映像出力装置はデジタル一眼レフカメラに限定されるものではない。従って、他の種類の映像出力装置において、映像データの出力を一時的に停止した後に映像データの出力を再開する動作モードを有し、当該動作モードの場合には映像表示装置でＨＰＤ信号をＨｉｇｈレベルで維持することが好適な場合には、ステップＳ８０２では、その映像出力装置が当該動作モードであるか否かを判定すれば良い。【０１０４】
以上説明したように、本実施例では、撮像装置７００と、撮像装置７００から出力された映像データを表示するモニタとを、５ＶＰｏｗｅｒの供給停止に伴って電気的な接続を切断するように構成されたＨＤＭＩを用いて接続しており、撮像装置７００がライブビュー撮影モードで動作している場合に撮像装置７００からモニタへ５ＶＰｏｗｅｒを常時入力し、モニタ側のＨＰＤ信号状態をＨｉｇｈ状態で維持するように制御する。これにより、ライブビュー撮影モードにおいて撮影を行った場合、撮影後にモニタでライブビュー映像が表示されない期間を短縮することができる。また、モニタ側で映像データの入力が無い場合に自動的に実行される非表示状態の回避処理についても、映像データを常時出力するように制御しているため、非表示状態の回避処理が実行されるのを抑制することができる。【０１０５】
なお、説明した２つの実施例における映像出力装置は、いずれも映像出力動作中に所定の操作によって一時的に映像出力を停止せざるを得ない状況が発生するものである。この状況を最も理解し易い構成として、各実施例の映像出力装置はライブビュー撮影モードを有するデジタル一眼レフカメラとしたが、本発明の映像出力装置はデジタル一眼レフカメラに限定されるものではない。【０１０６】
また、本発明における通信手段としてのＨＤＭＩは、物理的な有線ケーブルで映像出力装置と映像表示装置とを接続するものとして説明した。しかし、本発明の通信手段は、映像出力装置から映像表示装置に対して電力供給が可能なものであって、かつ、電力供給の有無に応じて電気的な接続が切り替わるように制御されるものであれば、無線通信であっても構わない。従って、上述した実施例及び特許請求の範囲に記載した、電気的な接続の確立及び切断とは、必ずしも有線ケーブルによる物理的な接続を前提とするものではない。無線接続の場合には、映像データの通信が可能な状態にある場合を電気的な接続が確立された状態とすることができる。【０１０７】
本発明は上記実施の形態に制限されるものではなく、本発明の精神及び範囲から離脱することなく、様々な変更及び変形が可能である。従って、本発明の範囲を公にするために以下の請求項を添付する。
【図１】
0005501442.tif 000002
【図２】
0005501442.tif 000003
【図３】
0005501442.tif 000004
【図４】
0005501442.tif 000005
【図５】
0005501442.tif 000006
【図６】
0005501442.tif 000007
【図７】
0005501442.tif 000008
【図８】
0005501442.tif 000009
【図９】
0005501442.tif 000010